(57)【要約】【課題】組立時にブレ補正光学系と退避光学系が干渉しない光学機器を提供すること。【解決手段】光軸と垂直な面内を移動することでブレ補正可能なブレ補正光学系と、沈胴時に前記光軸上から退避し、前記光軸と垂直な方向において前記ブレ補正光学系と重なるように配置される退避光学系と、前記退避光学系を前記光軸上から退避した状態にする他の光学系と、前記他の光学系を取り付ける前に、前記退避光学系を前記光軸上から退避した状態に保持可能な保持機構と、を有する。【選択図】図２０
2015141283.tif 000002
【特許請求の範囲】
【請求項１】
光軸と垂直な面内を移動することでブレ補正可能なブレ補正光学系と、
沈胴時に前記光軸上から退避し、前記光軸と垂直な方向において前記ブレ補正光学系と重なるように配置される退避光学系と、
前記退避光学系を前記光軸上から退避した状態にする他の光学系と、
前記他の光学系を取り付ける前に、前記退避光学系を前記光軸上から退避した状態に保持可能な保持機構と、を有することを特徴とする光学機器。
【請求項２】
前記保持機構は、前記ブレ補正光学系と前記退避光学系の一方に形成された凹部と、他方に形成された凸部で形成されており、
前記凹部と前記凸部が当接することで、前記他の光学系を取り付ける前に、前記退避光学系が前記光軸上から退避した状態を保つことを特徴とする請求項１に記載の光学機器。
【請求項３】
前記退避光学系は、前記光軸上から退避した状態で取り付けられることを特徴とする請求項１または２に記載の光学機器。
【請求項４】
前記退避光学系が前記他の光学系により前記光軸上から退避したとき、前記凹部と前記凸部との間には隙間が形成されていることを特徴とする請求項２または３に記載の光学機器。
【請求項５】
光軸と垂直な面内を移動することでブレ補正可能なブレ補正光学系と、
沈胴時に前記光軸上から退避し、前記光軸と垂直な方向において前記ブレ補正光学系と重なるように配置される退避光学系と、
前記退避光学系を前記光軸上から退避した状態にする他の光学系と、
前記他の光学系を取り付ける前に、前記退避光学系を前記光軸上から退避した状態に保持可能な保持機構と、を有する光学機器の組立方法であって、
前記ブレ補正光学系を取り付ける第１のステップと、
前記退避光学系を前記光軸上から退避した状態のまま取り付ける第２のステップと、
前記保持機構が前記退避光学系を前記光軸上から退避した状態に保持する第３のステップと、
前記他の光学系を取り付ける第４のステップと、を有することを特徴とする光学機器の組立方法。
【発明の詳細な説明】
【技術分野】
【０００１】
本発明は、レンズ鏡筒等の光学機器に関する。
【背景技術】
【０００２】
従来、レンズ鏡筒を小型化するために、レンズユニットの一部をスライドレンズとし、沈胴時にこのスライドレンズを光軸から退避させることにより、レンズ鏡筒の沈胴厚を薄くするようにしたものが知られている。
【０００３】
例えば、特許文献１では、第１レンズ群、第２レンズ群、第３レンズ群および第４レンズ群を備える。第２レンズ群は、ブレ補正光学系で、撮影時にカメラの振れに応じて光軸と垂直の面内でレンズが移動して、画面上で発生する手振れをキャンセルする。第３レンズ群はカムフォロア機構によって光軸方向に進退移動する地板と、レンズを保持するレンズホルダーで構成され、レンズホルダーは地板に対して揺動可能に軸支されている。レンズホルダーは、トーションスプリングによって鏡筒中心に向けて回転付勢され、地板に形成された当接部に当接してレンズを光軸上に保つ。撮像素子を保持するＣＣＤホルダーは、光軸方向に突出するツノ部を備える。沈胴時に、レンズホルダーに形成されたカム面がＣＣＤホルダーから突出するツノ部と当接することで、レンズホルダーはトーションスプリングの付勢力に抗する方向に回転し、光軸から退避する。このとき、レンズホルダーは、第２レンズ群に隣接して配置される。
【先行技術文献】
【特許文献】
【０００４】
【特許文献１】特開２０１１−５９３３１号公報
【発明の概要】
【発明が解決しようとする課題】
【０００５】
しかしながら、特許文献１に開示された従来技術では、レンズ鏡筒の製造過程において、ＣＣＤホルダーを組み付ける前の工程で、第３レンズ群と第２レンズ群が不用意に接触する可能性がある。特に、第２レンズ群がブレ補正光学系であれば、第３レンズ群が接触して第２レンズ群の移動ストロークを規定するメカ端に打痕を残すおそれがある。
【０００６】
このような課題を鑑みて、本発明は、組立時にブレ補正光学系と退避光学系が干渉しない光学機器を提供することを目的とする。
【課題を解決するための手段】
【０００７】
本発明の一側面としての光学機器は、光軸と垂直な面内を移動することでブレ補正可能なブレ補正光学系と、沈胴時に前記光軸上から退避し、前記光軸と垂直な方向において前記ブレ補正光学系と重なるように配置される退避光学系と、前記退避光学系を前記光軸上から退避した状態にする他の光学系と、前記他の光学系を取り付ける前に、前記退避光学系を前記光軸上から退避した状態に保持可能な保持機構と、を有することを特徴とする。
【発明の効果】
【０００８】
本発明によれば、組立時にブレ補正光学系と退避光学系が干渉しない光学機器を提供することができる。
【図面の簡単な説明】
【０００９】
【図１】本発明の実施形態に係るレンズ鏡筒の分解斜視図である。
【図２】第３レンズ群の分解斜視図である。
【図３】第４レンズ群の分解斜視図である。
【図４】第５レンズ群の斜視図である。
【図５】沈胴状態のレンズ鏡筒の断面図である。
【図６】ワイド状態のレンズ鏡筒の断面図である。
【図７】テレ状態のレンズ鏡筒の断面図である。
【図８】各レンズ群のズームカム軌跡を示す図である。
【図９】沈胴状態のレンズ鏡筒の断面図である。
【図１０】ワイド状態のレンズ鏡筒の断面斜視図である。
【図１１】テレ状態のレンズ鏡筒の断面斜視図である。
【図１２】３群レンズＦＰＣの展開図である。
【図１３】５群レンズＦＰＣの展開図である。
【図１４】沈胴状態における各ＦＰＣの配置図である。
【図１５】ワイド状態における各ＦＰＣの配置図である。
【図１６】テレ状態における各ＦＰＣの配置図である。
【図１７】沈胴側ストッパの説明図である。
【図１８】テレ側ストッパの説明図である。
【図１９】第４レンズ群の退避図である。
【図２０】第３レンズ群と第４レンズ群の組立説明図である。
【発明を実施するための形態】
【００１０】
以下、本発明の実施例について、図面を参照しながら詳細に説明する。各図において、同一の部材については同一の参照番号を付し、重複する説明は省略する。
【００１１】
本発明を実施した光学機器の一例としてのレンズ鏡筒について説明する。本実施形態のレンズ鏡筒は、デジタルカメラ等の撮像装置本体に対して着脱可能に取り付けられることでカメラシステムとして機能する。なお、本実施形態のレンズ鏡筒を備えたカメラシステムもまた本発明の光学機器に相当する。
【００１２】
図１は、本発明の実施形態に係るレンズ鏡筒の分解斜視図である。
【００１３】
第１レンズ群１００は、第１レンズ１０１と、第１レンズ１０１を保持する円筒状の第１レンズ枠１０２を有する。第１レンズ枠１０２の内周面には、径方向内側に突出するカムピン１０２ａが形成され、第１レンズ群１００を回転規制するキー溝（不図示）が形成されている。
【００１４】
第２レンズ群２００は、第２レンズ２０１と、第２レンズ２０１を保持する円筒状の第２レンズ枠２０２を有する。第２レンズ枠２０２の外周面には、径方向外側に突出するとともに、外周方向において等角度の間隔で形成されたカムピン２０２ａと、第２レンズ群２００を回転規制する直進キー２０２ｂが形成されている。
【００１５】
図２は、第３レンズ群３００の分解斜視図である。ブレ補正可能なブレ補正光学系である第３レンズ群３００は、被写体側の第３レンズａ群３０１ａ、結像面側の第３レンズｂ群３０１ｂ、第３レンズ枠３０２、第３レンズベース３０３、３群カバー３０４および絞りシャッター装置３０５を有する。
【００１６】
第３レンズ枠３０２は、第３レンズａ群３０１ａを保持する第３レンズａ群枠３０２ａと第３レンズｂ群３０１ｂを保持する第３レンズｂ群枠３０２ｂを備えている。第３レンズａ群枠３０２ａと第３レンズｂ群枠３０２ｂは、絞りシャッター装置３０５の外側で互いに接着固定されている。また、第３レンズａ群枠３０２ａは、ＩＳマグネット３１０を保持している。ＩＳばね３０６は、第３レンズａ群枠３０２ａと第３レンズベース３０３との間に架けられる。
【００１７】
第３レンズベース３０３は、ＩＳコイル３０７とＩＳボール３０８を備え、３群カバー３０４とスナップフィットの形式で締結される。３群カバー３０４には、第３レンズＦＰＣ３０９が固定される。第３レンズＦＰＣ３０９には、ＩＳマグネット３１０に対向する位置において、ＩＳセンサー（不図示）が固定される。ＩＳセンサーは、３群カバー３０４の切り欠き部３０４ａに挿入される。
【００１８】
第３レンズａ群枠３０２ａは、ＩＳばね３０６とＩＳボール３０８の作用により第３レンズベース３０３に対して光軸と垂直な面内で移動可能に保持されている。また、第３レンズａ群枠３０２ａは、ＩＳコイル３０７とＩＳマグネット３１０の作用により発生する駆動力により任意の位置へ移動し、ＩＳセンサーにより位置制御される。
【００１９】
絞りシャッター装置３０５は、第３レンズａ群３０１ａと第３レンズｂ群３０１ｂとの間でシャッター羽根と絞り羽根によって光量を調節する。
【００２０】
第３レンズＦＰＣ３０９には、ＩＳセンサーの信号線、ＩＳコイル３０７への電力供給線、絞りシャッター装置３０５への電力供給線などの配線パターンが形成されている。また、第３レンズＦＰＣ３０９は、後述するように、鏡筒の側面に形成された開口から鏡筒の外部へ排出され、不図示の基板に接続される。
【００２１】
第３レンズベース３０３の外周面には、径方向外側に突出するとともに、外周方向において等角度の間隔で形成されたカムピン３０３ａと、第３レンズ群３００を回転規制する直進キー３０３ｂが形成されている。また、第３レンズベース３０３の外周面には、後述するインナー直進筒６１０を直進規制する直進キー３０３ｃが形成されている。
【００２２】
図３は、第４レンズ群（退避光学系）４００の分解斜視図である。第４レンズ群４００は、第４レンズ４０１、第４レンズ４０１を保持する第４レンズ枠４０２、第４レンズベース４０３、トーションバネ４０４、揺動軸４０５および４群ベースカバー４０６を有する。
【００２３】
第４レンズベース４０３は、揺動軸４０５が圧入され、揺動軸４０５により第４レンズ枠４０２を遥動可能に軸支する。トーションバネ４０４は、第４レンズ枠４０２を第４レンズ４０１が光軸上に配置される方向に付勢する。４群ベースカバー４０６は、揺動軸４０５が圧入され、第４レンズベース４０３に締結される。
【００２４】
第４レンズベース４０３の外周面には、第４レンズベース４０３の径方向外側に突出するとともに、外周方向において等角度の間隔で形成されたカムピン４０３ａと、第４レンズ群４００を回転規制する直進キー４０３ｂが形成されている。カムピン４０３ａと直進キー４０３ｂは、第３レンズベース３０３のカムピン３０３ａと直進キー３０３ｂと光軸方向において重なるように配置される。また、第４レンズベース４０３には、光軸方向に突出する突出部４０３ｃが形成されている。
【００２５】
第４レンズ枠４０２の当接部４０２ｂは、トーションバネ４０４の付勢力によって４群ベースの突出部４０３ｃに当接し、このとき第４レンズ４０１は光軸上に位置する。第４レンズ枠４０２には退避カム４０２ａが形成されており、後述する第５レンズベース５０３のツノ部５０３ｃと当接することで沈胴時に光軸から退避する。第４レンズ枠４０２の揺動軸４０５から遠い側の先端部には、組立時に使用する引っ掛け部（凸部）４０２ｃが形成されている。引っ掛け部４０２ｃの作用については後述する。
【００２６】
図４は、第５レンズ群（他の光学系）５００の分解斜視図である。第５レンズ群５００は、第５レンズ５０１、第５レンズ枠５０２、第５レンズベース５０３、ＡＦモータ５０４、フォトインタラプタ５０５、第５レンズＦＰＣ５０６、ラック５０７を有する。また、第５レンズ群５００は、ラック５０７に組みつけられるラックバネ５０８、第５レンズベース５０３に保持されるガイドバー５０９ａ、５０９ｂ、スクリュー５１０、フランジ５１１を有する。
【００２７】
第５レンズ枠５０２は、第５レンズ５０１を保持しており、スリーブ部５０２ａが形成されている。スリーブ部５０２ａの両端には、ガイドバー５０９ａと係合するスリーブ穴５０２ｂ、５０２ｃが形成されている。また、第５レンズ枠５０２には、ガイドバー５０９ｂと係合するＵ溝５０２ｄが形成されている。
【００２８】
第５レンズベース５０３は、ガイドバー５０９ａ、５０９ｂを介して、第５レンズ枠５０２を摺動可能に保持する。第５レンズベース５０３の外周面には、径方向外側に突出するとともに、外周方向において等角度の間隔で形成されたカムピン５０３ａと、第５レンズ群５００を回転規制する直進キー５０３ｂが形成されている。また、第５レンズベース５０３には、光軸方向において被写体側に向けて突出したツノ部５０３ｃが形成されている。ツノ部５０３ｃは、沈胴状態において、第４レンズ枠４０２の退避カム４０２ａに当接し、第４レンズ枠４０２を光軸から退避させる。
【００２９】
第５レンズ枠５０２を光軸方向に駆動するＡＦモータ５０４には、光軸と略平行するように配置されるスクリュー５１０とフランジ５１１が取り付けられている。ＡＦモータ５０４は、フランジ５１１を介して、第５レンズベース５０３に固定される。スクリュー５１０にはラックバネ５０８により付勢されたラック５０７が噛み合い、フランジ５１１にはスクリュー５１０を避けるフランジ穴部５１１ａが形成される。ＡＦモータ５０４によりスクリュー５１０が回転すると、第５レンズ枠５０２により保持されるラック５０７と第５レンズ枠５０２が一体的に光軸方向に移動する。
【００３０】
フォトインタラプタ５０５は、第５レンズベース５０３に対する第５レンズ枠５０２の光軸方向における位置を被検出部５０２ｅによる遮光の有無によって検知する。第５レンズＦＰＣ５０６は、ＡＦモータ５０４とフォトインタラプタ５０５への電力供給を行う。また、第５レンズＦＰＣ５０６は、後述するように、鏡筒の側面に形成された開口から鏡筒の外部へ排出され不図示の基板に接続される。
【００３１】
第１レンズ枠１０２の内側にはインナーカムリング６００が配置され、インナーカムリング６００の内側にはインナー直進筒６１０が配置されている。インナーカムリング６００とインナー直進筒６１０は、互いに回転自在かつ直進方向に一体的に移動する。
【００３２】
インナーカムリング６００の外周には、１群カム溝６００ａが形成されている。第１レンズ枠１０２のカムピン１０２ａが１群カム溝６００ａを摺動することで、第１レンズ群１００は光軸方向に駆動する。また、インナーカムリング６００の外周には、径方向外側に突出するとともに、外周方向において等角度の間隔で形成されたカムピン６００ｃと、アウターカムリング７００から回転力を伝達される回転伝達キー６００ｄが形成されている。インナーカムリング６００の内周には、２群カム溝６００ｂが形成されている。インナー直進筒６１０の内側に配置される第２レンズ枠２０２のカムピン２０２ａが２群カム溝６００ｂを摺動することで、第２レンズ群２００が光軸方向に駆動する。
【００３３】
インナー直進筒６１０の被写体側端部には、インナーカムリング６００よりも外周側へ延出するフランジ部が形成されている。フランジ部には、第１レンズ枠１０２に形成された直進案内溝を摺動することで、第１レンズ群１００を直進案内する直進キー６１０ａが形成されている。インナー直進筒６１０の筒部には、第２レンズ枠２０２の直進キー２０２ｂが摺動することで、第２レンズ群２００を直進案内する切り欠き溝６１０ｂが形成されている。インナー直進筒６１０の内周面には、直進溝６１０ｃが形成されている。第３レンズベース３０３の直進キー３０３ｃが直進溝６１０ｃに嵌合し、インナー直進筒６１０を直進規制する。
【００３４】
第１レンズ枠１０２の外側に配置されているインナーカムリングカバー６２０は、インナーカムリング６００の外周に形成された１群カム溝６００ａが外観に露出しないようにカバーする。インナーカムリング６００とインナーカムリングカバー６２０は、３か所のスナップフィット６２０ａで締結され、一体的に移動する。
【００３５】
インナーカムリングカバー６２０の外側にはアウター直進筒７１０が配置され、アウター直進筒７１０の外側にはアウターカムリング７００が配置される。アウター直進筒７１０とアウターカムリング７００は、互いに回転自在でかつ直進方向は一体的に移動する。
【００３６】
アウター直進筒７１０の内周には、カム溝７１０ａが形成されている。インナーカムリング６００のカムピン６００ｃがカム溝７１０ａを摺動することで、インナーカムリング６００を光軸方向に駆動する。アウター直進筒７１０にはカム溝７１０ａとは別の位置にカム溝７１０ａと同一軌跡の貫通溝７１０ｂが形成されており、インナーカムリング６００の回転伝達キー６００ｄが貫通溝７１０ｂを挿通する。また、アウター直進筒７１０には、３群レンズ３０１および４群レンズ４０１の直進ガイドのための切り欠き溝７１０ｃが形成されている。第３レンズベース３０３の直進キー３０３ｃおよび第４レンズベース４０３の直進キー４０３ｂが切り欠き溝７１０ｃを摺動することで、３群レンズ３０１および４群レンズ４０１が直進ガイドされる。アウター直進筒７１０の結像面側端部にはアウターカムリング７００よりも外周側へ延出するフランジ部が形成されており、フランジ部には外周方向へ突出する直進キー７１０ｄが形成されている。
【００３７】
アウターカムリング７００の内周面には、３群カム溝７００ａと４群カム溝７００ｂが形成されている。第３レンズベース３０３のカムピン３０３ａが３群カム溝７００ａを摺動することで、３群レンズ３０１が光軸方向に駆動し、第４レンズベース４０３のカムピンが４群カム溝７００ｂを摺動することで、４群レンズ４０１が光軸方向に駆動する。また、アウターカムリング７００の内周面には、インナーカムリング６００に回転を伝達する回転伝達溝７００ｃが形成されている。インナーカムリング６００の回転伝達キー６００ｄが回転伝達溝７００を摺動することで、アウターカムリング７００の回転がインナーカムリング６００に伝達する。
【００３８】
アウターカムリング７００の外周面には、径方向外側に突出するとともに、外周方向において等角度の間隔で設けられたカムピン７００ｄと、ドライブリング８０１から回転力を伝達される回転伝達キー７００ｅが形成されている。
【００３９】
アウターカムリング７００の外側には固定筒８００が配置され、固定筒８００の外側にはドライブリング８０１が配置される。ドライブリング８０１の外側には、カバー筒８０２が配置される。固定筒８００とカバー筒８０２は、撮像素子９０４を保持するセンサーホルダー９００に締結される。ドライブリング８０１は、回転自在かつ直進方向の移動を規制されて保持される。
【００４０】
固定筒８００の内周面には、カム溝８００ａが形成されている。アウターカムリング７００のカムピン７００ｄがカム溝８００ａを摺動することで、アウターカムリング７００が光軸方向に駆動する。固定筒８００にはカム溝８００ａとは別の位置にカム溝８００ａと同一軌跡の貫通溝８００ｂが形成されており、アウターカムリング７００の回転伝達キー７００ｅが貫通溝８００ｂを挿通する。また、固定筒８００には、アウター直進筒７１０の直進ガイドのための切り欠き溝８００ｃが形成されている。アウター直進筒７１０の直進キー７１０ｄが切り欠き溝８００ｃに嵌合することで、固定筒８００は直進ガイドされる。アウター直進筒７１０の直進キー７１０ｄと固定筒８００の直進溝８００ｃは、複数形成されている。カム溝８００ａおよび貫通溝８００ｂにより直進溝８００ｃが形成できない領域を互いに補い、固定筒８００を沈胴位置から繰出し端まで直進ガイドし続ける。また、固定筒８００には、第５レンズ５０１を直進ガイドする切り欠き溝８００ｄが形成されている。第５レンズベース５０３の直進キー５０３ｂが切り欠き溝８００ｄを摺動することで、第５レンズ５０１が直進ガイドされる。また、固定筒８００の側面には、第３レンズＦＰＣ３０９および第５レンズＦＰＣ５０６を鏡筒の外部に排出するための開口８００ｅが形成されている。
【００４１】
ドライブリング８０１の内周面には、５群カム溝８０１ａが形成されている。第５レンズベース５０３のカムピン５０３ａが５群カム溝８０１ａを摺動することで、第５レンズ５０１が光軸方向に駆動する。また、ドライブリング８０１の内周面には、アウターカムリング７００に回転を伝達する回転伝達溝８０１ｂが形成されている。アウターカムリング７００の回転伝達キー７００ｅが回転伝達溝８０１ｂを摺動することで、ドライブリング８０１の回転をアウターカムリング７００に伝達する。
【００４２】
ドライブリング８０１の外周面には、ギア部８０１ｃが形成されている。ギア部８０１ｃは、ギア列９０１を介してズームモータ９０２に接続される。ズームモータ９０２への通電によってドライブリング８０１が回転し、ドライブリング８０１の回転がアウターカムリング７００およびインナーカムリング６００に伝達され、第１から第５レンズ群が各カム溝の軌跡にしたがって光軸方向に移動する。
【００４３】
ドライブリング８０１の側面には、第３レンズＦＰＣ３０９および第５レンズＦＰＣ５０６を鏡筒の外部に排出するための開口溝８０１ｄが形成されている。開口溝８０１ｄは、ドライブリング８０１の回転範囲全体にわたって固定筒８００に形成された開口８００ｅと重なるように、各ＦＰＣの幅にドライブリング８０１の回転量を加味した範囲で形成されている。
【００４４】
カバー筒８０２には、第３レンズＦＰＣ３０９および第５レンズＦＰＣ５０６を鏡筒の外部に排出するための開口８０２ａが形成されている。
【００４５】
センサーホルダー９００は、ギア列９０１、ズームモータ９０２、光学フィルター９０３および撮像素子９０４、を有する。
【００４６】
ここで、沈胴状態と撮影状態の間の繰出し繰込み機構、および撮影状態におけるズーム駆動機構について説明する。
【００４７】
図５は、沈胴状態のレンズ鏡筒の断面図である。図６はワイド状態のレンズ鏡筒の断面図であり、図７はテレ状態のレンズ鏡筒の断面図である。レンズ鏡筒が沈胴状態のとき第１から第３レンズ群および第５レンズ群は光軸上に並んで、各レンズ群の間隔を狭めた状態に位置する。第４レンズ群４００は、光軸から退避し、第３レンズ群に隣接する。
【００４８】
カメラの電源を投入すると、沈胴状態から繰出して撮影状態に移行する。
【００４９】
まず、ズームモータ９０２が起動し、ギア列９０１を介してドライブリング８０１が回転する。ドライブリング８０１の回転は、各回転伝達キー溝を通じて、アウターカムリング７００およびインナーカムリング６００に伝達される。アウターカムリング７００は、固定筒８００のカム溝８００ａの軌跡にしたがって光軸方向に移動する。インナーカムリング６００は、アウター直進筒７１０およびアウターカムリング７００に対してアウター直進筒７１０のカム溝７１０ａの軌跡にしたがって光軸方向に移動する。第１レンズ群１００および第２レンズ群２００は、インナーカムリング６００に対して各カム溝の軌跡にしたがって光軸方向に移動する。第３レンズ群３００および第４レンズ群４００は、アウターカムリング７００に対して各カム溝の軌跡に従って光軸方向に移動する。第５レンズ群５００の第５レンズベース５０３は、ドライブリング８０１に対して５群カム溝８０１ａの軌跡にしたがって光軸方向に移動する。
【００５０】
図８は、各レンズ群のズームカム軌跡を示している。図９から図１１は、第３から第５レンズ群の断面斜視図である。図９は沈胴状態、図１０は沈胴状態とワイド状態の中間で図８のポジションαにおける状態、図１１はワイド状態を示している。テレ状態を示している。なお、見やすいように、第４レンズベース４０３、５群レンズ５０１および第５レンズ枠５０２を除いている。
【００５１】
図９に示されるように、沈胴状態では、第５レンズベース５０３のツノ部５０３ｃが第４レンズ枠４０２のカム面４０２ａに当接し、第４レンズ枠４０２は揺動軸４０５を中心に遥動して光軸から退避している。
【００５２】
図８に示されるように、沈胴状態から撮影状態への移行に際して、第３レンズ群３００のほうが第４レンズ群４００よりも多く繰出すようにカム溝が形成されている。
【００５３】
まず、第３レンズ群３００の第３レンズ枠３０２の最後部が第４レンズ群の第４レンズ枠４０２最前部よりも繰出して、図８のポジションαにおいて第４レンズ４０１が光軸上に並ぶためのスペースが確保される。このとき、図１０に示されるように、第５レンズベース５０３のツノ部５０３ｃが第４レンズ枠のカム面４０２ａに当接し、第４レンズ枠は揺動軸４０５を中心に遥動して光軸から退避している。
【００５４】
次に、第４レンズ群４００と第５レンズベース５０３が次第に離間する。すると第５レンズベースのツノ部５０３ｃが第４レンズ枠のカム面４０２ａから次第に遠ざかる。第４レンズ枠４０２は、トーションバネ４０４によって光軸方向に向けて回転付勢されているため、ツノ部５０３ｃの形状にしたがって光軸に向けて揺動する。４群レンズ枠４０２の当接部４０２ｂが第４レンズベース４０３の突出部４０３ｃに当接すると、第４レンズ群４００が光軸上に配置され、それ以上の揺動が規制される。第４レンズ群４００と第５レンズベース５０３はさらに離間し、図１１に示されるように、第５レンズベース５０３のツノ部５０３ｃは第４レンズ枠のカム面４０２ａから完全に離間する。第４レンズ４０１が光軸上に配置されてから、レンズ鏡筒はワイド状態のポジションに到達し、ズームモータ９０２が停止する。
【００５５】
図６に示されるように、ズームポジションがワイド端に到達するのと前後して、ＡＦモータ５０４が駆動し、第５レンズ枠５０２が第５レンズベース５０３に対して所定の位置まで光軸方向に繰出す。ＡＦモータ５０４による第５レンズ枠５０２の移動は、ズームモータ９０２による第５レンズベース５０３の移動とは独立して行われる。
【００５６】
ワイド端からテレ端に向けてズーミングする際には、ズームモータ９０２をさらに駆動する。ドライブリング８０１、アウターカムリング７００およびインナーカムリング６００が回転して、各カム溝の軌跡にしたがって第１から第５レンズ群が移動する。本実施形態では、図８に示される軌跡で各レンズ群が移動し、レンズ鏡筒は図７に示されるテレ状態となる。
【００５７】
第１レンズ群１００は、一旦繰り込んだ後、繰出し方向に移動する。第２レンズ群２００は、次第に繰込む。第３レンズ群３００と第４レンズ群４００は、次第に繰出す。第５レンズベース５０３は一旦繰出した後、繰込み方向に移動する。第５レンズ枠５０２は、ズーム駆動と独立してＡＦモータ５０４によって駆動する。
【００５８】
テレ端からワイド端に向けてズーミングする際には、ズームモータ９０２を逆方向に駆動する。このとき、各カム溝の軌跡にしたがって、各レンズ群が光軸方向に移動する。
【００５９】
次に、ワイド状態から沈胴状態への移行について説明する。
【００６０】
ＡＦモータ５０４によって、第５レンズ枠５０２が第５レンズベース５０３に対して繰込み方向に移動する。第５レンズ枠５０２の繰込みと前後してズームモータ９０２が繰込み方向に駆動する。第１レンズ群１００と第２レンズ群２００は、それぞれカム軌跡にしたがって、繰込み方向に移動する。第３レンズ群３００と第４レンズ群４００は、レンズ間隔を保ったまま、繰込み方向に移動する。第４レンズ群４００と第５レンズベース５０３は、次第に近接する。第５レンズベース５０３のツノ部５０３ｃが第４レンズ枠４０２のカム面４０２ａに当接すると、第４レンズ枠４０２はトーションバネ４０４の付勢力に抗して第４レンズベース４０３に対して揺動し光軸からの退避を始める。第５レンズベース５０３と第４レンズ群４００がさらに近づくと、カム面４０２ａの形状にしたがって第４レンズ枠４０２はさらに光軸から退避する。第３レンズ枠３０２に隣接できるだけの量を退避すると、第５レンズベース５０３と第４レンズ群４００は光軸方向の距離を保って繰込む。第４レンズ枠４０２の光軸からの退避が完了した後、第３レンズ群３００と第４レンズ群４００の光軸方向における距離が近づき、第３レンズ枠３０２と第４レンズ枠４０２は光軸に垂直な方向において重なり始める。レンズ鏡筒が沈胴状態に至ると、第３レンズ枠３０２と第４レンズ枠４０２は隣接し、各レンズ群は図５に示される位置関係となる。
【００６１】
次に、３群レンズＦＰＣ３０９および５群レンズＦＰＣ５０６の鏡筒内の配回しについて説明する。
【００６２】
図１２は３群レンズＦＰＣ３０９の展開図、図１３は５群レンズＦＰＣ５０６の展開図である。３群レンズＦＰＣ３０９は、不図示の基板に接続されるコネクタ部３０９ａ、絞りシャッター装置３０５等に接続される島部３０９ｂ、コネクタ部３０９ａと島部３０９ｂを中継し、レンズ鏡筒のズームポジションに応じて屈曲する中継部３０９ｃから構成される。５群レンズＦＰＣ５０６は、不図示の基板に接続されるコネクタ部５０６ａ、ＡＦモータ５０４等に接続される島部５０６ｂ、コネクタ部５０６ａと島部５０６ｂを中継し、レンズ鏡筒のズームポジションに応じて屈曲する中継部５０６ｃから構成される。
【００６３】
図１４は、沈胴状態における各ＦＰＣの配置図である。なお、図５とは異なり、固定筒８００、ドライブリング８０１およびカバー筒８０２のＦＰＣ排出用の各開口を含む断面で切断している。
【００６４】
３群レンズＦＰＣ３０９の島部３０９ｂは、第３レンズ群３００において絞りシャッター装置３０５の結像面側に配置されている。絞りシャッター装置３０５の外縁部から始まる中継部３０９ｃは、結像面側に折り曲げられ、第４レンズベース４０３の外周面とインナー直進筒６１０の内周面の間を通って結像面側に延びる。その後、インナー直進筒６１０とインナーカムリング６００の結像面側の終端部でレンズ鏡筒の径方向外側に折り曲げられ、インナー直進筒６１０およびインナーカムリング６００とセンサーホルダー９００との間を通ってレンズ鏡筒の外周に向かって延びる。さらに、アウターカムリング７００の結像面側の終端部よりも外周で、被写体側に折り曲げられ、アウターカムリング７００の外周面と固定筒８００の内周面との間を通って被写体側に向かって延びる。そして、固定筒８００の開口８００ｅでレンズ鏡筒の外周方向に折り曲げられ、固定筒８００の開口８００ｅ、ドライブリング８０１の開口溝８０１ｄ、カバー筒８０２の開口８０２ａを挿通して鏡筒の外部に排出される。
【００６５】
５群レンズＦＰＣ５０６の島部５０６ａは、第５レンズ群５００において第５レンズベース５０３の結像面側に配置されている。中継部５０６ｃは、３群レンズＦＰＣ３０９と光軸方向から見て重なるように配置されている。沈胴状態において、第５レンズベース５０３の結像面側の終端部とインナー直進筒６１０の結像面側の終端部は、光軸方向においてほぼ同一の位置に位置する。第５レンズベース５０３の外縁部から始まる中継部５０６ｃは、３群レンズＦＰＣ３０９の中継部３０９ｃとセンサーホルダー９００との間を通ってレンズ鏡筒の外周に向かって延びる。その後、アウターカムリング７００の結像面側の終端部よりも外周で、被写体側に折り曲げられ、３群レンズＦＰＣ３０９の中継部３０９ｃと固定筒８００の内周面との間を通って被写体側に向かって延びる。そして、固定筒８００の開口８００でレンズ鏡筒の外周方向に折り曲げられ、固定筒８００の開口８００ｅ、ドライブリング８０１の開口溝８０１ｄ、カバー筒８０２の開口８０２ａを挿通して鏡筒の外部に排出される。
【００６６】
図１５は、ワイド状態における各ＦＰＣの配置図である。なお、図１５は、図１４と同じ断面で切断している。
【００６７】
３群レンズＦＰＣ３０９の中継部３０９ｃは、絞りシャッター装置３０５の外縁部から結像面側に折り曲げられ、結像面に向かって延びる。第４レンズベース４０３の外縁部には光軸と平行に延びるＦＰＣガイド部４０３ｄが形成されている。ＦＰＣガイド部４０３ｄによって、３群レンズＦＰＣ３０９が光軸に近づく方向のたわみや屈曲が防止される。そのため、ＦＰＣに光線が当たることで発生するゴーストが防止される。第４レンズベース４０３のＦＰＣガイド部４０３ｄは、なるべく結像面側へ長く伸ばすことが望ましく、固定筒８００、ドライブリング８０１、カバー筒８０２に形成された各開口よりも結像面側まで延出することがより望ましい。３群レンズＦＰＣ３０９の中継部３０９ｃは、第５レンズベース５０３付近で被写体側に向かって湾曲する。この湾曲部分を湾曲部Ａとする。その後、固定筒８００の開口８００ｅの手前で、３群レンズＦＰＣ３０９の中継部３０９ｃは逆方向に湾曲する。この湾曲部分を湾曲部Ｂとする。そして、湾曲部Ｂから固定筒８００の開口８００ｅに滑らかに挿通し、鏡筒の外部に排出される。
【００６８】
５群レンズＦＰＣ５０６の中継部５０６ｃは、第５レンズベース５０３の外縁部から結像面側に緩やかに湾曲する。この湾曲部分を湾曲部Ｃとする。その先で逆方向すなわち被写体側に向かって緩やかに湾曲し、固定筒８００の内周面に接してさらに湾曲部が続く。この湾曲部分を湾曲部Ｄとする。その先でレンズ鏡筒の外周に向けて湾曲する。この湾曲部分を湾曲部Ｅとする。湾曲部Ｅの途中から第３レンズＦＰＣ３０９の湾曲部Ｂに接する。そして、第３レンズＦＰＣの湾曲部Ｂに沿って固定筒８００の開口８００ｅに滑らかに挿通し、鏡筒の外部に排出される。
【００６９】
本実施形態では、第３レンズＦＰＣ３０９の湾曲部Ｂで第５レンズＦＰＣ５０６の湾曲部Ｅをガイドしている。そのため、第５レンズＦＰＣ５０６を固定筒８００内周面に接するように配回し、第５レンズＦＰＣ５０６のたわみを第５レンズベース５０３よりも結像面側に生じさせている。そのため、３群レンズＦＰＣ３０９の中継部３０９ｃがたわむスペースを大きく取ることができる。すなわち、中継部３０９ｃの長さの設計自由度が大きく取れる。また、中継部３０９ｃの湾曲部Ａの湾曲半径が大きく取れることから、中継部３０９ｃのコシによる第３レンズ群３００への負荷を減らすことができる。さらに、湾曲部Ａのスペースが大きく取れることから、湾曲部Ａが光軸側にたわんでくることを防止することができる。
【００７０】
また、第４レンズベース４０３のＦＰＣガイド部４０３ｄによって第３レンズＦＰＣ３０９の中継部３０９ｃが光軸側にたわんでこないように支えている。そのため、第３レンズＦＰＣ３０９の湾曲部Ｂが第５レンズＦＰＣ５０６の湾曲部Ｅをガイドする作用をより確実なものにする。
【００７１】
また、第４レンズベース４０３のＦＰＣガイド部４０３ｄを固定筒８００の開口８００ｅよりも結像面側まで伸ばすことで、第３レンズＦＰＣ３０９の湾曲部Ｂが第５レンズＦＰＣ５０６の湾曲部Ｅをガイドする作用をさらに確実なものにする。
【００７２】
また、第３レンズＦＰＣ３０９の中継部３０９ｃの幅の方が５群レンズＦＰＣ５０６の中継部５０６ｃの幅よりも広ければ、なお確実にガイドすることができる。
【００７３】
また、固定筒８００の開口８００ｅとカバー筒８０２の開口８０２ａのうち周方向に沿った幅が狭いほうの開口幅が、３群レンズＦＰＣ３０９の中継部３０９ｃの幅と５群レンズＦＰＣ５０６の中継部５０６ｃの幅の合計よりも狭いことが望ましい。それによって、各ＦＰＣがＦＰＣ排出用の各開口の中で互いに幅方向で位置ずれしても、必ずＦＰＣ同士で重なる部分が生じて、ガイドの効果を発揮するためである。
【００７４】
図１６は、ワイド状態における各ＦＰＣの配置図である。なお、図１６は、図１４と同じ断面で切断している。
【００７５】
３群レンズＦＰＣ３０９の中継部３０９ｃは、絞りシャッター装置３０５の外縁部から結像面側に折り曲げられ、結像面に向かって延びる。中継部３０９ｃは、緩やかに湾曲して固定筒８００の開口８００ｅに挿通される。
【００７６】
５群レンズＦＰＣ５０６の中継部５０６ｃは、第５レンズベース５０３の外縁部から被写体側へ湾曲する。その先でレンズ鏡筒の外周に向けて湾曲する。固定筒８００の開口８００ｅに滑らかに挿通し、レンズ鏡筒の外部へと延びる。
【００７７】
テレ状態では第３レンズ群３００は繰出し端に位置し、３群レンズＦＰＣ３０９の中継部３０９ｃにたるみはほとんどない。また、第５レンズベース５０３はワイド状態よりも繰込んだ位置にあるため、５群レンズＦＰＣ５０６は第５レンズベース５０３よりも被写体側のスペースでたるみを持つが、３群レンズＦＰＣ３０９を配回す上で問題にはならない。
【００７８】
次に、レンズ鏡筒の組立工程について説明する。
【００７９】
最初に、インナーカムリング６００とインナー直進筒６１０を組み合わせる。インナーカムリング６００とインナー直進筒６１０の位置関係を沈胴状態よりもさらに繰込み側の位置である超沈胴状態にする。そして、あらかじめ第２レンズ２０１を第２レンズ枠２０２に取り付けた第２レンズ群２００を被写体側から組み込む。次に、インナーカムリング６００とインナー直進筒６１０の位置関係をテレ状態よりも繰出し側の位置である超テレ状態にする。そして、あらかじめ第１レンズ１０１を第１レンズ枠１０２に取り付けた第１レンズ群１００を被写体側から組み込む。その後、再び超沈胴状態にして、インナーカムリングカバー６２０を被写体側から組み込み、スナップフィットによってインナーカムリング６００と一体化する。
【００８０】
次に、アウターカムリング７００とアウター直進筒７１０を超沈胴状態のままで被写体側から組み込む。続いて、アウターカムリング７００に、あらかじめ組み立てられた第３レンズ群３００と、あらかじめ組み立てられた第４レンズ群４００を結像面側から組み込む。
【００８１】
前述したように、鏡筒ユニットの完成状態において、第３レンズベース３０３のカムピン３０３ａと第４レンズベース４０３のカムピン４０３ａは、光軸方向において重なるように配置される。アウターカムリング７００の３群カム溝７００ａと４群カム溝７００ｂには、超沈胴状態において組込用の導入部が形成されており、かつ導入部は３群カム溝７００ａと４群カム溝７００ｂで共通である。
【００８２】
第３レンズ群３００と第４レンズ群４００を組み込んだのち、固定筒８００、ドライブリング８０１およびカバー筒８０２を被写体側から組み込む。
【００８３】
続いて、３群レンズＦＰＣ３０９を鏡筒の外部に排出する処理を行う。まず、ズームポジションを超テレ状態に移動すると、第３レンズ群３００と第４レンズ群４００が固定筒８００の開口８００ｅよりも被写体側に繰出して移動する。このとき、３群レンズＦＰＣ３０９の中継部３０９ｃは固定筒８００の内周面に沿って結像面側に延出している。そして、３群レンズＦＰＣ３０９のコネクタ部３０９ａをピンセット等の工具で把持し、固定筒８００の開口８００ｅに挿通し、鏡筒の外部に排出する。
【００８４】
その後、ズームポジションを超テレ状態にしたまま、あらかじめ組み立てられた第５レンズ群５００を結像面側から組み込む。
【００８５】
続いて、５群レンズＦＰＣ５０６を鏡筒の外部に排出する処理を行う。第５レンズ群は、沈胴状態からテレ状態のどのズームポジションにおいても、固定筒８００の開口８００ｅよりも被写体側に繰出すことはない。そのため、コネクタ部５０６ａを把持して固定筒８００の開口８００ｅに挿通することが困難である。そこで、あらかじめ挿通された３群レンズＦＰＣ３０９をガイドにして、５群レンズＦＰＣ５０６を鏡筒の外部に排出する。
【００８６】
例えば、ワイド状態のとき、図１５に示されるように、３群レンズＦＰＣ３０９の中継部３０９ｃには湾曲部Ａと湾曲部Ｂが生じる。そこで、５群レンズＦＰＣ５０６のコネクタ部５０６ａを固定筒８００の内周面と湾曲部Ａの間に挿通し、押し込む。すると、５群レンズＦＰＣ５０６は３群レンズＦＰＣ３０９の湾曲部Ａと湾曲部Ｂに沿って進み、自然と固定筒８００の開口８００ｅに挿通され、鏡筒の外部に排出される。ワイド状態のときに限らず、３群レンズＦＰＣ３０９の中継部３０９ｃに湾曲部Ａ、湾曲部Ｂに相当する湾曲が生じるズームポジションであれば、どのズームポジションでも同様のＦＰＣ排出処理が可能である。
【００８７】
また、第３レンズＦＰＣ３０９の中継部３０９ｃの幅の方が５群レンズＦＰＣ５０６の中継部５０６ｃの幅よりも広いほうが好ましい。そうすると、５群レンズＦＰＣ５０６を固定筒８００の内周面と３群レンズＦＰＣ３０９の湾曲部Ａの間から挿入している最中に、３群レンズＦＰＣ３０９の中継部３０９ｃの幅から５群レンズＦＰＣ５０６のコネクタ部５０６ａがはみ出しにくくなる。そのため、作業性はさらに向上する。
【００８８】
５群レンズＦＰＣ５０６を鏡筒の外部に排出する処理を行った後に、センサーホルダー９００を結像面側から取り付ける。センサーホルダー９００には、あらかじめズームモータ９０２、ギア列９０１、光学フィルター９０３および撮像素子９０４が取り付けられている。
【００８９】
以上で、本実施形態のレンズ鏡筒は完成する。
【００９０】
次に、図１７と図１８を用いて、ドライブリング８０１とセンサーホルダー９００に形成されたドライブリング８０１の回転範囲を規制するストッパについて説明する。
【００９１】
図１７は、沈胴側ストッパの説明図であり、沈胴状態のレンズ鏡筒からカバー筒９０２を除いた斜視図である。ドライブリング８０１の沈胴側ストッパ８０１ｅとセンサーホルダー９００の沈胴側ストッパ９００ａは、ドライブリング８０１が超沈胴状態まで回転しないように回転範囲を規制する。これによって、レンズ鏡筒の組立後に各レンズ群がカム溝の超沈胴状態用の導入部から脱落することを防止する。
【００９２】
図１８は、テレ側ストッパの説明図であり、テレ状態のレンズ鏡筒からカバー筒９０２を除いた斜視図である。ドライブリング８０１のテレ側ストッパ８０１ｆとセンサーホルダーのテレ側ストッパ９００ｂは、ドライブリング８０１が超テレ状態まで回転しないように回転範囲を規制する。これによって、レンズ鏡筒の組立後に各レンズ群がカム溝の超テレ状態用の導入部から脱落することを防止する。
【００９３】
ここで、沈胴時に第５レンズ群５００によって第４レンズ群４００の４群レンズ４０１が光軸から退避することで、３群レンズ３０１と４群レンズ４０１の干渉を防ぐ構成となっている。しかし、組立工程上では、第５レンズ群５００を組み込む前に、第３レンズ群３００と第４レンズ群４００をアウターカムリング７００に組込み、沈胴状態に配置する。しかしながら、第３レンズ群はブレ補正レンズ群であり、第３レンズ枠３０２は第３レンズベース３０３に対してＩＳバネ３０６とＩＳボール３０８によって光軸と垂直な面内で自在に移動可能である。そのため組み立て中に第４レンズ枠４０２が第３レンズ枠３０２に接触すると、第３レンズ枠３０２が意図せぬ方向や位置に押されて、第３レンズ枠３０２のストロークを規定するメカ端や、ＩＳボール３０８の受け面に、キズや打痕が付くおそれがある。そこで、本発明のレンズ鏡筒は以下に説明するように、第５レンズ群がなくとも組み立て中に第４レンズ群の第４レンズ４０１、第４レンズ枠４０２を光軸から退避させ、退避位置に保持し、第４レンズ枠が第３レンズ枠に干渉することを防ぐ工夫がなされている。
【００９４】
図１９は、４群レンズ４０１と４群レンズ枠４０２が光軸から退避した状態の第４レンズ群４００を結像面側から見た状態を示す。図２０は、沈胴状態における第３レンズ群３００と４群レンズ枠４０２を結像面側から見た組立説明図である。
【００９５】
第４レンズベース４０３には、撮影状態で４群レンズ４０１を透過した光線を第５レンズ群５００に通す開口４０３ｅが形成されている。開口４０３ｅは、撮影状態で光線が透過する範囲よりもさらに大きな範囲で形成されている。また、沈胴状態において第３レンズ枠３０２に干渉しない程度まで第４レンズ枠４０２を光軸から退避させたときに、少なくとも第４レンズ枠４０２の一部と重なるように、開口４０３ｅの形状が形成されている。これによって、組立時に第４レンズ群４００の結像面側から治具等を開口４０３ｅから挿入し、第４レンズ枠４０２の側面を押すことで第４レンズ枠４０２を退避させることができる。
【００９６】
前述したように、第４レンズ枠４０２の揺動軸４０５から遠い側の先端部には、組立時に使用する引っ掛け部４０２ｃが形成されている。また、第３レンズベース３０３の結像面側には、第４レンズ枠４０２が光軸から退避した際の引っ掛け部４０２ｃに対向する位置に、引っ掛け用凹部３０３ｄが形成されている。本実施形態では、引っ掛け部４０２ｃと引っ掛け用凹部３０３ｄが組立時に第４レンズ枠４０２が光軸から退避した際に退避状態に保持可能な保持機構として機能する。
【００９７】
組立時に、アウターカムリング７００に第３レンズ群３００を組み込み、その後、治具によって第４レンズ枠４０２を開口４０３ｅから退避させた状態で第４レンズ群４００を組込む。組込み後に治具を外すと、第４レンズ枠４０２はトーションバネ４０４の作用で光軸に近づく方向に付勢されるが、第４レンズ枠４０２の引っ掛け部４０２ｃが第３レンズベース３０３の引っ掛け用凹部３０３ｄに引っ掛かって退避状態を保持する。このとき、図２０に示されるように、第４レンズ枠４０２と第３レンズ枠３０２との間に隙間Ａが形成されている。そのため、第４レンズ枠４０２は、第３レンズ枠３０２に干渉しない。また、図２０に示される隙間Ｂは、第４レンズ枠４０２の引っ掛け部４０２ｃと第３レンズベース３０３の引っ掛け用凹部３０３ｄとの間に形成されており、組み立て時には形成されていない。
【００９８】
アウターカムリング７００に第３レンズ群３００と第４レンズ群４００を組み込んだ後、ズームポジションを繰出し方向に移動すると、図８のズームカム軌跡にしたがって各レンズ群が移動する。すなわち、第３レンズ群３００と第４レンズ群４００が離間し、第４レンズ４０１が光軸上に並ぶためのスペースが確保される。そして、第３レンズベース３０３の引っ掛け用凹部３０３ｄと第４レンズ枠４０２の引っ掛け部４０２ｃの係止が外れて、第４レンズ枠はトーションバネ４０４によって光軸上に並ぶ。
【００９９】
以上説明したように、本実施形態のレンズ鏡筒によると、組立工程で不用意に第３レンズ枠３０２と第４レンズ枠４０２が干渉することがない。そのため、第３レンズ枠３０２のストロークを規定するメカ端や、ＩＳボール３０８の受け面に、キズや打痕を残すおそれがなくなる。
【０１００】
また、４群レンズ枠４０２を退避させながら、第３レンズ群３００と第４レンズ群４００を沈胴状態と同様の位置関係になるように組み合わせた状態でアウターカムリング７００に組み込んでも良い。第３レンズベース３０３の引っ掛け凹部３０３ｄと第４レンズ枠４０２の引っ掛け部４０２ｃは、レンズ鏡筒の外で第３レンズ群３００と第４レンズ群４００を沈胴状態と同様の位置関係になるよう組み合わせても機能する。
【０１０１】
前述の通り３群レンズＦＰＣ３０９を鏡筒の外部に排出する処理を行う際に、超テレ状態にする。このとき、第３レンズ群３００および第４レンズ群４００は離間するので、第３レンズベース３０３の引っ掛け用凹部３０３ｄと第４レンズ枠４０２の引っ掛け部４０２ｃの引っ掛けが外れて、第４レンズ枠４０２は光軸上に入ってくる。本実施形態では、第５レンズ群５００を超テレ状態で組み込んでいる。そのため、第３レンズＦＰＣ３０９の排出処理の際に第４レンズ枠４０２が光軸上に入ったあと、第５レンズ群５００を組み込む前に沈胴状態に戻すことがなくなり、第４レンズ枠４０２を再度退避させる必要がない。
【０１０２】
レンズ鏡筒のテレ側ストッパを、例えばドライブリング８０１と固定筒８００のような筒同士で形成すると、第５レンズ群５００を組み込む際にすでにテレ側ストッパが機能しているため、超テレ状態で第５レンズ群５００を組み込むことができない。しかしながら、本実施形態のレンズ鏡筒は、テレ側ストッパをドライブリング８０１とセンサーホルダー９００で形成することで、第５レンズ群５００を組み込む際にテレ側ストッパが機能せず、レンズ鏡筒を超テレ状態にすることができる。
【０１０３】
レンズ鏡筒の組立完成後に沈胴状態にすると、第４レンズ枠４０２は第５レンズベース５０３のツノ部５０３ｃによって光軸から退避する。本実施形態では、このときの退避量を組立時に第３レンズベース３０３の引っ掛け用凹部３０３ｄと第４レンズ枠４０２の引っ掛け部４０２ｃによって保持する退避位置よりもさらに光軸から遠く退避するようにしている。すなわち、図２０に示す隙間Ｂに、図の通り隙間が形成されるように退避量を設定する。それによって、第５レンズベース５０３によって第４レンズ枠４０２が退避する際に、第４レンズ枠４０２の引っ掛け部４０２ｃと第３レンズベース３０３の引っ掛け用凹部３０３ｄが干渉することを防止できる。
【０１０４】
以上、本発明の好ましい実施形態について説明したが、本発明はこれらの実施形態に限定されず、その要旨の範囲内で種々の変形及び変更が可能である。
【符号の説明】
【０１０５】
３００  第３レンズ群（ブレ補正光学系）
４００  第４レンズ群（退避光学系）
５００  第５レンズ群（他の光学系）
【図１】
2015141283.tif 000003
【図２】
2015141283.tif 000004
【図３】
2015141283.tif 000005
【図４】
2015141283.tif 000006
【図５】
2015141283.tif 000007
【図６】
2015141283.tif 000008
【図７】
2015141283.tif 000009
【図８】
2015141283.tif 000010
【図９】
2015141283.tif 000011
【図１０】
2015141283.tif 000012
【図１１】
2015141283.tif 000013
【図１２】
2015141283.tif 000014
【図１３】
2015141283.tif 000015
【図１４】
2015141283.tif 000016
【図１５】
2015141283.tif 000017
【図１６】
2015141283.tif 000018
【図１７】
2015141283.tif 000019
【図１８】
2015141283.tif 000020
【図１９】
2015141283.tif 000021
【図２０】
2015141283.tif 000022